(57)【要約】本発明は、特に冷機起動条件下で、電気化学変換組立体内の限定された膜領域の過剰使用を軽減することを対象とする。本発明の一実施形態によれば、電気化学変換組立体のアノード流れ場プレートおよび／またはカソード流れ場プレートが、流体ヘッダ領域がアノード流体ヘッダと、カソード流体ヘッダと、冷却剤流体ヘッダとを画定するように構成され、アノード流体ヘッダと、カソード流体ヘッダと、冷却剤流体ヘッダとは、プレートの供給領域が、プレート上に画定された鋭角に角度がつけられたヘッダ／供給境界面からプレートの活性領域全体にわたって画定された供給／活性境界面まで広がる、ほぼ直線状の流体流路のアレイを画定するように構成される。
2008523562.tif 000002
【特許請求の範囲】
【請求項１】
第１の反応物質および第２の反応物質を電気エネルギーに変換するように構成された少なくとも１つの電気化学変換セルを備える電気化学変換組立体において、前記電気化学変換セルが膜電極接合体と、前記膜電極接合体の両側に画定されたアノード流れ場部分とカソード流れ場部分と、第１の反応物質を、前記膜電極接合体のアノード側に、前記アノード流れ場部分を介して供給するように構成された第１の反応物質供給部と、第２の反応物質を、前記膜電極接合体のカソード側に、前記カソード流れ場部分を介して供給するように構成された第２の反応物質供給部とを備える電気化学変換組立体であって、
前記アノード流れ場部分および前記カソード流れ場部分のうち少なくとも１つが、活性領域と、流体ヘッダ領域と、供給領域とを画定する強化された流れ場プレートを備え、
前記活性領域が、複数の流体流路を備え、前記供給領域が、流体を前記ヘッダ領域から前記活性領域の前記複数の流体流路に移動させるように構成され、
前記流体ヘッダ領域が、互いに流体的に分離されるアノード流体ヘッダと、カソード流体ヘッダと、冷却剤流体ヘッダとを画定し、
前記供給領域の一部分が、前記活性領域と、前記活性領域のほぼ全体にわたって広がる供給／活性境界面に沿って接し、
前記流体ヘッダのうち少なくとも１つに対応する前記流体ヘッダ領域の一部分が、前記供給領域と、前記供給／活性境界面に対して鋭角に配向されたヘッダ／供給境界面に沿って接し、
前記供給領域が、前記ヘッダ／供給境界面から前記供給／活性境界面まで広がる、ほぼ直線状の流体流路のアレイを画定する、電気化学変換組立体。
【請求項２】
前記アノード流体ヘッダと、前記カソード流体ヘッダと、前記冷却剤流体ヘッダとがそれぞれ、前記活性領域と前記流体ヘッダ領域の間の所与の距離の方向の間隔が、前記アノード流体ヘッダまたは前記カソード流体ヘッダの領域における最小値から、前記冷却剤流体ヘッダの領域における最大値までの範囲であるように、前記強化された流れ場プレートの共通の縁部から前記活性領域の方向に前記所与の距離だけ広がる、請求項１に記載の電気化学変換組立体。
【請求項３】
前記アノード流体ヘッダと前記カソード流体ヘッダとがそれぞれ、前記強化された流れ場プレートの共通の縁部から前記活性領域の方向に、前記冷却剤流体ヘッダよりもさらに広がる、請求項１に記載の電気化学変換組立体。
【請求項４】
前記供給領域が、前記供給／活性境界面が前記電気化学変換組立体の起動中に電流分布によって発生される初期の熱が集中する範囲を最小限に抑えるように構成される、請求項１に記載の電気化学変換組立体。
【請求項５】
前記供給領域が、前記ほぼ直線状の流体流路のアレイがほぼ三角形の構成を画定するように構成される、請求項１に記載の電気化学変換組立体。
【請求項６】
前記三角形構成の最長辺が、前記供給／活性境界面に画定される、請求項５に記載の電気化学変換組立体。
【請求項７】
前記三角形構成の最短辺が、前記ヘッダ／供給境界面に画定される、請求項５に記載の電気化学変換組立体。
【請求項８】
前記活性領域が、前記強化された流れ場プレートの平面内に定義される２つの寸法に沿って広がり、
前記活性領域が前記２つの寸法に沿って広がる広がりが、前記膜電極接合体の広がりによって定義される、請求項１に記載の電気化学変換組立体。
【請求項９】
前記活性領域の前記広がりおよび前記膜電極接合体の前記広がりが、ほぼ直角四辺形に近い、請求項８に記載の電気化学変換組立体。
【請求項１０】
前記活性領域内の前記複数の流体流路によって画定される流体の流れる経路が、前記供給／活性境界面から離れて連続的に進行するのを維持する、請求項１に記載の電気化学変換組立体。
【請求項１１】
前記流体の流れの前記連続的な進行が、流れの方向がほぼ９０°未満に変化することを特徴とする、請求項１０に記載の電気化学変換組立体。
【請求項１２】
前記活性領域が、前記強化された流れ場プレートの主表面によって定義される平面内で回転対称となるように構成される、請求項１に記載の電気化学変換組立体。
【請求項１３】
前記アノード流れ場部分および前記カソード流れ場部分がそれぞれ、
前記アノード流れ場部分に関連する前記強化された流れ場プレートの、前記アノード流体ヘッダが、前記供給領域と、前記ヘッダ／供給境界面に沿って接し、
前記カソード流れ場部分に関連する前記強化された流れ場プレートの、前記カソード流体ヘッダが、前記供給領域と、前記ヘッダ／供給境界面に沿って接するような、請求項１に定義された強化された流れ場プレートを備える、請求項１に記載の電気化学変換組立体。
【請求項１４】
前記アノード流れ場部分に関連する前記強化された流れ場プレートの前記ヘッダ／供給境界面と、前記カソード流れ場部分に関連する前記強化された流れ場プレートの前記ヘッダ／供給境界面とが、前記供給／活性境界面に、対抗する方向から面する、請求項１３に記載の電気化学変換組立体。
【請求項１５】
前記活性領域内の前記複数の流体流路が、それぞれの流体入口を前記供給／活性境界面に沿って、またそれぞれの流体出口を対向する供給／活性境界面に沿って画定し、対向側では、対向する供給領域が前記流体出口と接し、かつ前記強化された流れ場プレートの対向するヘッダ領域と連通し、
前記強化された流れ場プレートが、前記ヘッダ領域および前記供給領域が前記対向するヘッダ領域および前記対向する供給領域と、前記強化された流れ場プレートを前記活性領域によって定義される平面内で回転させることによって機能的に交換可能なように構成される、請求項１に記載の電気化学変換組立体。
【請求項１６】
前記活性領域内の前記複数の流体流路が、それぞれの流体入口を前記供給／活性境界面に沿って、またそれぞれの流体出口を対向する供給／活性境界面に沿って画定し、対向側では、対向する供給領域が前記流体出口と接し、かつ前記強化された流れ場プレートの対向するヘッダ領域と連通し、
前記強化された流れ場プレートが、前記強化された流れ場プレートの主表面によって定義される平面内で回転対称となるように構成される、請求項１に記載の電気化学変換組立体。
【請求項１７】
前記活性領域内の前記複数の流体流路が、それぞれの流体入口を前記供給／活性境界面に沿って、またそれぞれの流体出口を対向する供給／活性境界面に沿って画定し、対向側では、対向する供給領域が前記流体出口と接し、かつ前記強化された流れ場プレートの対向するヘッダ領域と連通し、
前記対向する供給領域の一部分が、前記活性領域と、前記活性領域のほぼ全体にわたって広がる前記対向する供給／活性境界面に沿って接し、
前記対向する流体ヘッダ領域の一部分が、前記対向する供給領域と、前記対向する供給／活性境界面に対して鋭角に配向された対向するヘッダ／供給境界面に沿って接し、
前記対向する供給領域が、前記対向するヘッダ／供給境界面から前記対向する供給／活性境界面まで広がる、ほぼ直線状の流体流路のアレイを画定する、請求項１に記載の電気化学変換組立体。
【請求項１８】
請求項１に記載の前記電気化学変換組立体を備える車両であって、前記電気化学変換組立体が、前記車両用の原動力源として働く、車両。
【請求項１９】
第１の反応物質および第２の反応物質を電気エネルギーに変換するように構成された少なくとも１つの電気化学変換セルを備える電気化学変換組立体において、前記電気化学変換セルが膜電極接合体と、前記膜電極接合体の両側に画定されたアノード流れ場部分とカソード流れ場部分と、第１の反応物質を、前記膜電極接合体のアノード側に、前記アノード流れ場部分を介して供給するように構成された第１の反応物質供給部と、第２の反応物質を、前記膜電極接合体のカソード側に、前記カソード流れ場部分を介して供給するように構成された第２の反応物質供給部とを備える電気化学変換組立体であって、
前記アノード流れ場部分が、活性領域と、流体ヘッダ領域と、供給領域とを画定する強化された流れ場プレートを備え、
前記アノード流れ場部分の前記活性領域が、複数の流体流路を備え、前記アノード流れ場部分の前記供給領域が、流体を、前記アノード流れ場部分の前記ヘッダ領域から、前記アノード流れ場部分の前記活性領域の前記複数の流体流路に移動させるように構成され、
前記アノード流れ場部分の前記流体ヘッダ領域が、互いに流体的に分離されるアノード流体ヘッダと、カソード流体ヘッダと、冷却剤流体ヘッダとを画定し、
前記アノード流れ場部分の前記供給領域の一部分が、前記アノード流れ場部分の前記活性領域と、前記アノード流れ場部分の前記活性領域のほぼ全体にわたって広がる、前記アノード流れ場部分の供給／活性境界面に沿って接し、
前記アノード流体ヘッダに対応する、前記アノード流れ場部分の前記流体ヘッダ領域の一部分が、前記アノード流れ場部分の前記供給領域と、前記アノード流れ場部分の前記供給／活性境界面に対して鋭角に配向された前記アノード流れ場部分のヘッダ／供給境界面に沿って接し、
前記アノード流れ場部分の前記供給領域が、前記アノード流れ場部分の前記ヘッダ／供給境界面から、前記アノード流れ場部分の前記供給／活性境界面まで広がる、ほぼ直線状の流体流路のアレイを画定し、
前記カソード流れ場部分が、活性領域と、流体ヘッダ領域と、供給領域とを画定する強化された流れ場プレートを備え、
前記カソード流れ場部分の前記活性領域が、複数の流体流路を備え、前記カソード流れ場部分の前記供給領域が、流体を、前記カソード流れ場部分の前記ヘッダ領域から、前記カソード流れ場部分の前記活性領域の前記複数の流体流路に移動させるように構成され、
前記カソード流れ場部分の前記流体ヘッダ領域が、互いに流体的に分離されるアノード流体ヘッダと、カソード流体ヘッダと、冷却剤流体ヘッダとを画定し、
前記カソード流れ場部分の前記供給領域の一部分が、前記カソード流れ場部分の前記活性領域と、前記カソード流れ場部分の前記活性領域のほぼ全体にわたって広がる、前記カソード流れ場部分の供給／活性境界面に沿って接し、
前記カソード流体ヘッダに対応する、前記カソード流れ場部分の前記流体ヘッダ領域の一部分が、前記カソード流れ場部分の前記供給領域と、前記カソード流れ場部分の前記供給／活性境界面に対して鋭角に配向された前記カソード流れ場部分のヘッダ／供給境界面に沿って接し、
前記カソード流れ場部分の前記供給領域が、前記カソード流れ場部分の前記ヘッダ／供給境界面から前記カソード流れ場部分の前記供給／活性境界面まで広がる、ほぼ直線状の流体流路のアレイを画定する、電気化学変換組立体。
【請求項２０】
前記アノード流れ場部分に関連する前記強化された流れ場プレートの前記ヘッダ／供給境界面と、前記カソード流れ場部分に関連する前記強化された流れ場プレートの前記ヘッダ／供給境界面とが、前記供給／活性境界面に、対抗する方向から面する、請求項１９に記載の電気化学変換組立体。
【発明の詳細な説明】
【技術分野】
【０００１】
本発明は、一般に燃料電池と呼ばれ、第１および第２の反応物質を処理することによって電気エネルギーを生成する電気化学変換セルに関する。
【背景技術】
【０００２】
例えば、電気エネルギーを、燃料電池内で、酸素含有ガスを還元し、水素ガスを酸化させることによって発生させることができる。限定ではなく例として説明すると、典型的なセルは、反応物質のそれぞれに対応するものを収容する１対の流れ場の間に配置された膜電極接合体を備える。より具体的には、カソードの流れ場プレートおよびアノードの流れ場プレートを、膜電極接合体の両側に配置することができる。単セル単位によってもたらされる電圧は、有用な適用分野には一般に小さすぎ、そのため、複数のセルを、導電的に結合された「スタック」の形で構成して、電気化学変換組立体（ｅｌｅｃｔｒｏｃｈｅｍｉｃａｌ  ｃｏｎｖｅｒｓｉｏｎ  ａｓｓｅｍｂｌｙ）の電気出力を増大させるのが一般的である。
【０００３】
背景として、変換組立体は一般に、膜電極接合体、アノードの流れ場、およびカソードの流れ場を備える。膜電極接合体は、アノードとカソードを離隔するプロトン交換膜を備える。膜電極接合体は一般に、とりわけ、高比表面積担体物質によって担持された触媒を備え、湿潤条件下でプロトン伝導度が増すことを特徴とする。本発明の背景を説明する目的で、燃料電池および燃料電池スタックの一般的な構成および動作は、本発明の範囲外であることに留意されよう。そうではなく、本発明は、特定の流れ場プレート構成およびその設計に関する一般的な概念を対象とするものである。燃料電池および燃料電池スタックの一般的な構成および動作について、出願人らは、燃料電池「スタック」およびスタックのさまざまな構成要素が構成される方式を網羅する、膨大な教示の集まりを引用する。例えば、複数の米国特許および公開された出願が、燃料電池の構成およびそれに対応する動作方法に直接関連している。より具体的には、米国特許出願公開第２００５／００５８８６４号の図１および２、ならびにそれに付随する文章で、燃料電池スタックの構成要素の詳細な説明が提示されている。この特定の内容は、参照により本明細書に明示的に組み込まれる。
【発明の開示】
【発明が解決しようとする課題】
【０００４】
本発明は、特に冷機起動条件下で、電気化学変換組立体内の限定された膜領域の過剰使用を軽減することを対象とする。
【課題を解決するための手段】
【０００５】
本発明の一実施形態によれば、第１の反応物質および第２の反応物質を電気エネルギーに変換するように構成された少なくとも１つの電気化学変換セルを備える、電気化学変換組立体が提供される。セルは、膜電極接合体と、膜電極接合体の両側に画定されたアノード流れ場部分とカソード流れ場部分とを備える。第１の反応物質供給部が、第１の反応物質を膜電極接合体のアノード側に、アノード流れ場部分を介して供給するように構成され、第２の反応物質供給部が、第２の反応物質を膜電極接合体のカソード側に、カソード流れ場部分を介して供給するように構成される。アノードおよびカソードの流れ場部分の少なくとも一方が、活性領域と、流体ヘッダ領域と、供給領域とを画定する、強化された流れ場プレートを備える。
【０００６】
活性領域は、複数の流体流路を備え、供給領域は、流体をヘッダ領域から活性領域の流体流路に移動させるように構成される。流体ヘッダ領域は、互いに流体的に分離されるアノード流体ヘッダと、カソード流体ヘッダと、冷却剤流体ヘッダとを画定する。供給領域の一部分が、活性領域と、活性領域のほぼ全体にわたって広がる供給／活性境界面に沿って接する。それらの流体ヘッダのうち少なくとも１つに対応する流体ヘッダ領域の一部分が、供給領域と、供給／活性境界面に対して鋭角に配向されたヘッダ／供給境界面に沿って接する。供給領域は、ヘッダ／供給境界面から供給／活性境界面まで広がる、ほぼ直線状の流体流路のアレイを画定する。
【０００７】
本発明の別の実施形態によれば、膜電極接合体の両側に配置された、強化されたアノード流れ場プレートおよび強化されたカソード流れ場プレートを備える、電気化学変換組立体が提供される。
【０００８】
したがって、電気化学変換組立体内の限定された膜領域の過剰使用を軽減することが、本発明の一目的である。もちろん、本発明のその他の目的も、本明細書において具体化される本発明の説明に照らせば、明らかとなるであろう。
【０００９】
本発明の特定の諸実施形態の以下の詳細な説明は、同じ構造が同じ参照番号で示される添付の図面と併せ読めば、最良に理解することができる。
【発明を実施するための最良の形態】
【００１０】
本発明の一実施形態による、強化されたアノード流れ場プレート１０が、図１に示してあり、アノード流れ場プレート１０は、流体ヘッダ領域２０と、供給領域３０と、活性領域４０とを備える。活性領域４０は、複数の流体流路４２を備える。供給領域３０は、流体を、ヘッダ領域２０から活性領域４０の流体流路４２に移動させるように構成される。活性領域４０は、強化された流れ場プレート１０のＸ−Ｙ平面内に定義される２つの寸法ｘ、ｙに沿って広がる。燃料電池の設計の精通者には理解されるように、活性領域４０のｘ、ｙ寸法の広がりは、関連する膜電極接合体のサイズに直接相当し、その接合体は一般に、ほぼ直角四辺形に近い。
【００１１】
流体ヘッダ領域２０は、互いに流体的に分離されるアノード流体ヘッダ２２と、カソード流体ヘッダ２４と、冷却剤流体ヘッダ２６とを画定する。図示の実施形態では、アノード流体ヘッダ２２が、供給領域３０と、供給領域３０が活性領域４０と接する供給／活性境界面３４に対して鋭角θに配向されたヘッダ／供給境界面３２に沿って接する。供給／活性境界面３４は、活性領域４０のほぼ全体にわたって広がる。さらに、供給領域３０は、ヘッダ／供給境界面３２から供給／活性境界面３４まで広がる、ほぼ直線状の流体流路３６のアレイを画定する。このようにして、図１に示される強化された流れ場プレート１０を利用して、起動中に電流分布によって発生された初期の熱が、流れ場プレート１０の活性領域４０の特定の領域内、およびプレート１０と位置合わせされた形で位置する膜電極接合体の一部分に集中する範囲を最小限に抑えることができる。
【００１２】
より具体的には、本発明者らは、燃料電池のアノード入口領域付近が、冷機起動が開始されたとき反応物質と遭遇する最初のところであるため、初期の電流密度、したがって初期の熱の発生がそこに集中することを確認した。より多くの電流負荷が燃料電池スタックにかけられるにつれて、より多くの電流が、燃料電池スタックのヘッダアノード入口付近に発生し、それが比較的集中した領域内を暖め続ける。比較的集中した領域内で発生された熱は、セルの活性領域のより多くの部分に徐々に分散されて、活性領域が正常な動作温度に上昇するまで、存在する氷があればそれを溶解し、より多くの触媒部位（ｃａｔａｌｙｓｔ  ｓｉｔｅ）を活性化させる。冷機起動中にアノード入口付近に出現する、この限定された高温／高電流密度領域は望ましくない。というのも、その領域が、多数繰り返される冷機起動サイクルにわたって比較的過剰に利用されるようになり、過剰に利用される領域内の膜電極接合体の耐久性に悪影響を与えるためである。さらに悪いことに、燃料電池内での凍結前のパージ動作がしばしば、冷機起動が開始されたときに、アノード入口領域をセルの最も乾いた領域の１つにする。本発明の強化された流れ場プレート設計は、本明細書において、アノード反応物質をより多く、起動時に活性領域のより多くの部分に分配することによって、起動中に活性領域のより多くの部分の利用を増大させるための手段として提案される。要するに、本発明のその他の目的は本記載から収集することができるが、本発明の特定の諸実施形態は、高温／高電流密度領域を、セルの活性領域のより多くの部分にわたって分散させようとするものである。
【００１３】
図２を参照すると、強化されたカソード流れ場プレート１０’が示してあり、図１および２では、同じ構造が同じ参照番号で示される。図２に示す実施形態では、カソード流体ヘッダ２４が、供給領域３０と、ヘッダ／供給境界面３２に沿って接し、供給領域３０が、活性領域４０と、供給／活性境界面３４に沿って接する。図１のアノード流れ場プレートの場合と同様に、供給／活性境界面３４が、活性領域４０のほぼ全体にわたって広がる。図１と２を比較して、図１のアノード流れ場プレート１０および図２のカソード流れ場プレート１０’に関連する強化された流れ場プレートそれぞれの、ヘッダ／供給境界面３２がそれぞれ、それぞれに対応する供給／活性境界面３４に、対向する方向から面することに留意されよう。
【００１４】
図１および２に示されるヘッダ領域２０を参照して、アノード流体ヘッダ２２、カソード流体ヘッダ２４、および冷却剤流体ヘッダ２６がそれぞれ、強化された流れ場プレート１０、１０’それぞれの共通の縁部１２から、活性領域４０の方向に、所与の距離だけ広がることに留意されよう。活性領域４０と流体ヘッダ領域２０の間の間隔は、アノード流体ヘッダ２２またはカソード流体ヘッダ２４の領域における最小値ａから、冷却剤流体ヘッダ２６の領域における最大値ｂまでの範囲である。このようにして、供給領域３０を、ほぼ直線状の流体流路３６のアレイがほぼ三角形の構成を画定し、三角形構成の最長辺が供給／活性境界面３４に画定され、三角形構成の最短辺がヘッダ／供給境界面３２に画定されるように構成することができる。
【００１５】
図１および２に示される活性領域４０を参照して、活性領域内の流体流路４２によって画定される流体の流れる経路が、供給／活性境界面から離れて連続的に進行するのを維持することに留意されよう。より具体的には、流体の流れの連続的な進行は、流れの方向がほぼ９０°未満に変化することを特徴とする。このようにして、流体流路４２内の流体が、活性領域４０から容易に排出され得るので、流体流路４２の中に閉じ込められるようになる可能性がより少ない。
【００１６】
活性領域４０内の流体流路４２は、供給／活性境界面３４に沿って、それぞれの流体入口を、また流体流路４２の末端縁部のところに画定された対向する供給／活性境界面３４’に沿って、それぞれの流体出口を画定する。対向する供給領域３０’が、流体出口と接し、やはり活性領域４０内の流体流路の末端縁部を越えて画定された対向するヘッダ領域２０’と連通する。
【００１７】
さらに、活性領域４０は、強化された流れ場プレート１０、１０’の主表面によって画定される平面内で、回転対称となるように構成されることに留意されよう。各プレート１０、１０’の入口側および出口側を、単にプレートをプレートの平面内で１８０°回転させるだけで、交換することができる。このようにして、強化された流れ場プレート１０、１０’は、ヘッダ領域２０および供給領域３０が、対向するヘッダ領域２０’および供給領域３０’と機能的に交換可能なように構成される。
【００１８】
本発明を記載し定義する目的で、鋭角は、０より大きく９０°未満の角度であることに留意されよう。さらに、「直線状の」という用語は、本明細書では、湾曲した経路またはさまざまな方向に延びる複数の直線状の区分によって画定される経路ではなく、単方向の突出と対応させるために利用される。
【００１９】
「好ましくは」、「一般に（ｃｏｍｍｏｎｌｙ）」、および「一般に（ｔｙｐｉｃａｌｌｙ）」のような用語は、本明細書において、特許請求の範囲に記載の本発明の範囲を限定するために、あるいは、いくつかの特徴が、特許請求の範囲に記載の本発明の構造または機能に対して決定的に重大である、本質的である、または重要でさえあるということを示唆するために利用されるものではないことに留意されよう。そうではなく、これらの用語は、本発明の特定の実施形態において利用されることがある、または利用されることのない、代替のまたは追加の特徴を単に強調するものである。
【００２０】
本発明を記載し定義する目的で、「ほぼ」という用語が、本明細書において、任意の定量的な比較、値、測定値、またはその他の表現に帰することができる不確かさの固有の程度を表現するために利用されることに留意されよう。「ほぼ」という用語は、本明細書において、定量的表現が、問題となっている主題の基本機能を変化させることなく、述べられた参照基準から変化し得る程度を表現するためにも利用される。例えば、本明細書で見られる「ほぼ直線状の流体流路」という文脈において、本明細書に示される直線状の流路内に、湾曲した部分またはその他の非直線状部分がわずかに導入されることは、非直線状部分によって「ほぼ直線状の流体流路」の基本機能の変化が生じるという状況がなければ、「ほぼ直線状」という用語の範囲からの逸脱と解釈されるべきではないことに留意されよう。
【００２１】
以上、本発明を詳細に、本発明の特定の諸実施形態を参照して説明してきたが、添付の特許請求の範囲において定義される本発明の範囲を逸脱することなく、諸変更形態および諸変形形態が可能であることが明らかであろう。例えば、車両を、本発明による電気化学変換組立体を組み込んで、電気化学変換組立体がその車両用の原動力源として働くのを可能にするように構成できるようにすることが企図される。
【００２２】
本発明のいくつかの態様が、本明細書において、好ましいまたは特に有利なものとして特定されているが、本発明は、本発明のそれらの好ましい態様に必ずしも限定されないことを企図するものである。
【図面の簡単な説明】
【００２３】
【図１】本発明の一実施形態による、アノード流れ場プレートの反応物質側の平面図である。
【図２】図１に示す本発明の実施形態を補完するように構成されたカソード流れ場プレートの、反応物質側の鏡像平面図である。
【図１】
2008523562.tif 000003
【図２】
2008523562.tif 000004
【国際調査報告】
2008523562.tif 000005